(57)【特許請求の範囲】
【請求項１】
タブレット（４）の背面に密着させて使用するタブレット用ハンドホルダーで
あって、前記タブレット（４）の背面と対向する表面と、その反対側の裏面とを
有する合成樹脂の平板（１）と、真空レバー（３−１）と、柔らかい透明のシリ
コーンゴム（３−４）と、前記シリコーンゴム（３−４）を被う合成樹脂（３−５）
とを有し、前記合成樹脂（３−５）が、前記合成樹脂の平板（１）の中央部に穴
を開けて固定される真空吸盤（３）と、前記平板（１）裏面上に設けられ、小指・
薬指・中指・人指し指の４本を別々に入れる指サック（２）及び前記真空レバー
（３−１）が固定される指サック固定板（２−１）と、を備え、前記真空レバー
（３−１）をタブレット（４）の背面側に倒すことで、前記タブレット（４）の
背面に前記真空吸盤（３）のシリコーンゴム（３−４）を真空状態で密着させる
ことができ、前記指サック（２）及び前記真空レバー（３−１）は、前記タブレ
ット（４）の背面側から見てそれぞれ左側に傾けて固定されていることを特徴
とするタブレット用ハンドホルダー。  
【請求項２】
合成樹脂の平板（１）の素材は、合成樹脂を金属に変えて使用する事ができる請求項１記載のタブレット用ハンドホルダー。
【発明の詳細な説明】
【技術分野】
【０００１】
卓上で操作するタブレットを、一方の手の上に載せて他方の手でタブレットを操作出来るタブレット用ハンドホルダーに関する。
【背景技術】
【０００２】
タブレットを卓上で操作する事は一般的使用方法であるが、一方の手の上に載せて他方の手でタブレットを操作出来るタブレット用ハンドホルダーは、特許文献１、特許第５６９００１２号公報（タブレット用ハンドホルダー）に記載がある。
【先行技術文献】
【特許文献】
【０００３】
【特許文献１】特許第５６９００１２号公報
【発明の概要】
【発明が解決しようとする課題】
【０００４】
従来タブレットは、多く普及しているが机・テーブル等の上に置いて操作して来た。
しかし、時と場合によって、タブレットを手に持って操作しなければならない場合がある。右利きの人は、左手でタブレットを持ちあげ右手で操作する必要がある。
しかし、タブレットの裏側は真っ平らであり片手で持って、片手で操作する事は、重量もあり、滑って落下して破損させる危険性もある。
タブレットは、ハンドホルダーを利用して簡単に一方の手で、タブレットを押さえ、他方の手で操作できる事が極めて重要である。ハンドホルダーを使用して簡単にタブレットを、操作できるようにする事が課題である。
【課題を解決するための手段】
【０００５】
課題を解決するために本発明は以下の構成とした。
タブレットを持ち上げる為に、右側面から見て、柔らかい透明のシリコーンゴムを使用した合成樹脂の真空吸盤（３）の左側を、合成樹脂の平板（１）の中央部に穴を開けて固定させて、合成樹脂の平板（１）の左に、指サック固定板（２−１）を設け、更にその左に、小指・薬指・中指・人差し指の４本が別々入る指サック（２）を固定させた。（図４）
【０００６】
柔らかい透明のシリコーンゴムを使用した合成樹脂の真空吸盤（３）の透明のシリコーンゴム（３−４）をタブレットの背面に押し付けて、内部を真空状態にするために真空レバー（３−１）を、合成樹脂の平板（１）側に倒す事によって、柔らかい透明のシリコーンゴムを使用した合成樹脂の真空吸盤（３）の透明のシリコーンゴム（３−４）が真空状態になり、タブレット（４）を持ち上げる事が出来るようにした。
【０００７】
指サック（２）及び真空レバー（３−１）は、平面から見ると、それぞれ左に傾いている。その理由は、タブレット用ハンドホルダーを使用して、一方の手でタブレットを持ち上げ、他方の手で操作しようとすると、一方の手に無理がかからない角度になるようにした。（図３、図４、図５、図６）
【発明の効果】
【０００８】
本発明は，以下の効果を有する。
（１）タブレットを一方の手で、タブレット用ハンドホルダーを使用して持ち上げ他方の手でタブレットを操作できるので便利である。
（２）机・卓上の上でタブレットを操作出来る事と、上方に持ち上げても操作できる為広範囲に使用できるので重宝である。
(３） 上方にタブレットを持ち上げない場合は、タブレット用ハンドホルダーを簡単に外して、卓上用として使用する事に何ら支障がない。
【図面の簡単な説明】
【０００９】
【図１】「Ａ」吸盤を真空にした平面図    「Ｂ」吸盤の真空を外した平面図
【図２】吸盤を真空にして背面から見た説明図
【図３】タブレットの背面に合成樹脂の平板と、指サック固定板を取り付けて真空状態にした平面図。
【図４】タブレットの背面に合成樹脂の平板と、指サック固定板を取り付けて真空状態にして、４本の指サックも取り付けた平面図。
【図５】タブレットの背面に合成樹脂の平板と、指サック固定板を取り付けて真空状態にして、４本の指サックも取り付けてタブレットの正面から見た説明図。
【図６】タブレットの背面に合成樹脂の平板と、指サック固定板を取り付けて真空状態にして、４本の指サックも取り付け指を入れた説明図。
【図７】「Ａ」タブレット用ハンドホルダー一式を組み立てた右側面図「Ｂ」タブレット用ハンドホルダー一式を組み立てて、タブレットの背面に固定した右側面図
【発明を実施するための形態】
【００１０】
以下本発明の実施形態について説明する。
課題を解決するために本発明は以下の構成とした。
タブレットは、必ずしも卓上だけで使用するとは限らない。そのためタブレット用ハンドホルダーを使用して、タブレット（４）を持ち上げる為に、タブレット用ハンドホルダーの、右側面から見て、柔らかい透明のシリコーンゴムを使用した合成樹脂の真空吸盤（３）の左側を、合成樹脂の平板（１）の中央部に穴を開けて固定させて、合成樹脂の平板（１）の左に、合成樹脂繊維、又は皮を使用した指サック固定板（２−１）を設け、更にその左に、合成樹脂繊維、又は皮を使用した、小指・薬指・中指・人差し指の４本が別々に入る指サック（２）を固定させた。
柔らかい透明のシリコーンゴムを使用した合成樹脂の真空吸盤（３）の構造は、半円状の柔らかい透明のシリコーンゴムを内側に使用して、それを外側から被うように半円状の合成樹脂を使用している。
【００１１】
柔らかい透明のシリコーンゴムを使用した合成樹脂の真空吸盤（３）の透明のシリコーンゴム（３−４）をタブレットの背面に押し付けて、透明のシリコーンゴム（３−４）の内部を真空状態にするために、中指と人差し指の中間に、真空レバー（３−１）を挟むように指サック（２）を設置し、真空レバー（３−１）を、合成樹脂の平板（１）側に倒すと真空状態になる。
又、真空状態にする事によって、タブレットを持ち上げる事が出来るようにした。
使用方法として、一方の手を、指サツク（２）に小指・薬指・中指・人差し指の４本を別々に入れて、他方の手でタブレットを操作できる構造にした。
【００１２】
指サック（２）及び真空レバー（３−１）は、図３、図４、図６に記載したように平面から見ると、それぞれ左に傾いている。
それは、タブレット用ハンドホルダーを使用して、一方の手でタブレットを持ち上げ、画面を見るために裏返しにして、正面から他方の手で操作しようとすると、一方の手や腕に無理がかかるため、それを防止するため斜めに傾いた構造にした。
操作する人に対してタブレットが曲がらず真っ直ぐに見えるように工夫した構造である。（図３、図４、図５、図６）
【００１３】
指サック（２）の素材は、柔らかい合成樹脂繊維又は、皮を使用し、合成樹脂の平板（１）は、金属に変えて製作することが出来る。
【符号の説明】
【００１４】
１      合成樹脂の平板
２      指サック
２−１   指サック固定板
３       柔らかい透明のシリコーンゴムを使用した合成樹脂の真空吸盤
３−１  真空レバー
３−２  真空レバーピン
３−３  真空にする出っ張り
３−４  透明のシリコーンゴム
３−５  合成樹脂
４       タブレット
５       指
【要約】
【課題】タブレットは、多く普及しているが机・テーブル等の上に置いて操作して来た。
しかし、時と場合によって、タブレットを手に持って操作しなければならない場合がある。一方の手でタブレットを押さえ、他方の手でタブレットを操作できるタブレット用ハンドホルダーを提供する。
【解決手段】タブレットを持ち上げる為に、柔らかい透明のシリコーンゴムを使用した合成樹脂の真空吸盤を、合成樹脂の平板に固定させ、更に合成樹脂の平板の左に、小指・薬指・中指・人差し指の４本が別々入る指サックを固定させた。
合成樹脂の真空吸盤をタブレットの背面に押し付けて、吸盤の内部を真空状態にする事によって、タブレットを持ち上げる事が出来るようにした事を特徴とする。
【選択図】図６【図１】
0005806430.tif 000002
【図２】
0005806430.tif 000003
【図３】
0005806430.tif 000004
【図４】
0005806430.tif 000005
【図５】
0005806430.tif 000006
【図６】
0005806430.tif 000007
【図７】
0005806430.tif 000008